(57)【要約】本発明は、スイープ運動により移動するゴルフクラブ（１８）およびテニスラケット（３８）のようなスポーツ用品へ取り付けられ、前もって決定した条件の下で可聴音を発生する目的で取り付けられる装置（１０）に関する。装置は、速度の急な増加の下で可聴音を生じることが可能である。装置は柔軟な物質から作られる音発生エレメント（１２）、および取り付けエレメント手段（１４）を含む。音発生エレメント（１２）は接着剤（４０）によりスポーツ用品に永久的に取り付けることができる。または、エレメント（１４）は半永久的であり、装置をスポーツ用品に選択的に取り付け及び取り外しすることができる取り付け手段を提供する。エレメント（１４）はスナップ方式のカラーかクリップ（２４）を含むか、またはスポーツ用品の部分にねじるか結ぶことができる材料の長いもの（２）を含む。クリップ（２４）は、柔軟な分岐したアーム（２６）で形成されるスロット状の開口（２８）を含む。
2004527348.tif 000002
【特許請求の範囲】
【請求項１】
ゴルファーまたはテニスプレイヤーのような競技者のスイングを改良するための補助として使用される、ゴルフクラブシャフトまたはテニスラケットリムのようなスポーツ用品に取り付ける音発生装置であって、
ａ）競技者の急激なスイング動作の間に音を発生する音発生手段、および
ｂ）該音発生手段をスポーツ用品に取り付けるための手段であって、該音発生手段がスポーツ用品にしっかりと取り付けられる手段、
を含む音発生装置。
【請求項２】
前記音発生手段がさらに柔軟な物質を含み、該柔軟な物質が競技者の急激なスイング動作の間にフラッター音を発生する、請求項１記載の装置。
【請求項３】
前記柔軟な物質をスポーツ用品に取り付ける手段が、スポーツ用品の周囲に柔軟な物質を巻くことを含む、請求項２記載の装置。
【請求項４】
前記柔軟な物質をスポーツ用品に取り付ける手段が、柔軟な物質の部分に適用された接着物質を含む、請求項３記載の装置。
【請求項５】
前記接着物質が柔軟な物質をスポーツ用品に結合する、請求項４記載の装置。
【請求項６】
前記接着物質が柔軟な物質をそれ自身に結合し、該スポーツ用品の部分を取り囲む、請求項４記載の装置。
【請求項７】
前記柔軟な物質をスポーツ用品に取り付ける手段が、該柔軟な物質の部分に配置された咬みあいフックおよびループ物質を含む、請求項３記載の装置。
【請求項８】
前記咬みあいフックおよびループ物質が、それの相対する要素に固定され、該スポーツ用品の部分を取り囲む、請求項７記載の装置。
【請求項９】
前記柔軟な物質をスポーツ用品に取り付ける手段がさらにクリップを含み、該クリップがさらに一対の柔軟なアームを含み、該アームがスポーツ用品を取り囲み、該クリップをスポーツ用品にしっかりと固定する、請求項２記載の装置。
【請求項１０】
前記一対の柔軟なアームが、柔軟な物質とスポーツ用品を取り囲み、該柔軟な物質をスポーツ用品にしっかりと固定する、請求項９記載の装置。
【請求項１１】
前記クリップが、垂直方向に配置されたスロットをその内部に有し、該スロットは該一対のアームに相対するクリップの壁の上に配置され、さらに長いポストを有し、前記柔軟な物質は該ポストの周囲にまかれ、該ポストは該スロットを通り、該ポストは該クリップの内側に配置され、柔軟な物質がそれらの後ろに伸びる、請求項９記載の装置。
【請求項１２】
前記柔軟な物質が該ポストの側面に取り付けられ、該ホストが街区リップの内側に配置される、請求項１１記載の装置。
【請求項１３】
該一対のアームに相対する第１のクリップの壁の上に配置され第２のより小さいクリップをさらに含み、より小さい第２のクリップの中に挿入されるための伸ばされたポストを含み、該ポストはそれらに取り付けられた柔軟な物質を有する、請求項９記載の装置。
【請求項１４】
前記柔軟な物質をスポーツ用品に取り付ける手段がさらにコードを含み、該柔軟な物質が該コードに取り付けられ、該コードがスポーツ用品に結ばれる、請求項３記載の装置。
【請求項１５】
前記コードがさらに強化された線を含む、請求項１４記載の装置。
【請求項１６】
ゴルフクラブまたは他のスポーツラケットシャフトに容易に確保される、５０平方インチ未満のポリエステルフィルムを含む、ゴルフスイング訓練装置。
【請求項１７】
前記ポリエステルフィルムが該スポーツ用品に接着剤で取り付けられる、請求項１６記載の装置。
【請求項１８】
前記ポリエステルフィルムが該スポーツ用品にプラスチッククリップで取り付けられる、請求項１６記載の装置。
【請求項１９】
前記ポリエステルフィルムが該スポーツ用品にプラスチッククリップ手段で取り付けられる、請求項１６記載の装置。
【請求項２０】
前記ポリエステルフィルムが、前記ポリエステルフィルムの平面表面積により設定されるあらかじめ決定されたクラブヘッドスピードでハミング音を生ずる、請求項１６記載の装置。
【請求項２１】
前記ポリエステルフィルムの平面表面積を変化させ、種々のスイング速度に適応させることができる、請求項１６記載の装置。
【発明の詳細な説明】
【技術分野】
【０００１】
発明の背景
本発明の技術分野
本発明は、一般にスポーツ用品に関し、より詳細には前もって決定した条件の下で可聴音を発生する目的で、選択的にスポーツ用品に取り付けることができる装置に関する。
【０００２】
本発明の音発生装置は、ゴルフクラブおよびテニスラケットのような、手で保持するスポーツ用品に取り付けられる。前述の装置への音発生装置の取り付けによって、音発生装置の前もって決定した速度において可聴音を生じることが可能である。
【０００３】
本発明の要約
本発明は、前もって決定した条件の下で可聴音を発生する目的でスポーツ用品に取り付ける装置を示す。装置は、スイープ運動により移動するゴルフクラブおよびテニスのラケットのような手に保持されたスポーツ用品へ選択的に取り付けられる。前述の装置への音発生装置の取り付けによって、速度の急な増加の下で可聴音を生じることが可能である。装置は音発生エレメントを含み、取り付けエレメント手段を含むことができる。
【０００４】
本発明の好ましい実施態様は、接着剤をカバーする剥離可能な保護エレメントを有するポリエステルフィルムの１つの面に沿って、一定量の接着剤を有するポリエステルフィルムの平坦なシートで構成された音発生エレメントである。装置は、接着性の保護エレメントを取り除き、スポーツ用品に接する装置を置くことにより、スポーツ用品に固定される。装置はポリエステルの平面のシートの一部に固定された接着エレメントで、スポーツ用品の周りに巻かれる。接着剤はスポーツ用品と接触しない。そのために、装置は、使用の間にスポーツ用品の周囲を自由に回転することができる。
【０００５】
本発明の別の実施態様では、装置は、取り付けエレメント手段を組込む。取り付けエレメント手段は、音発生装置の選択的な取り付けおよび分離を提供し、スナップ方式のカラーかクリップから構成されるか、またはスポーツ用品の部分にねじるか結ぶことができる材料の長いもので構成される。取り付けエレメント手段はコードまたはワイヤー強化コードのような、適当な材料の長いものであることができ、音発生エレメントが十分な自由な末端長さをもってそれらに固定して配置され、それはスポーツ用品上の選択されたポイントを通り、音発生エレメントをスポーツ用品にしっかりと固定するための手段として、結ぶかまたはねじることができる。音発生エレメントをスポーツ用品にしっかりと固定するための他の手段としてはクリップが提供される。クリップは、貫通孔を包む柔軟な分岐するアームによって形成される、スロット状の開口を有する実質的に円筒状の物体であり、それによってスポーツ用品上にクリップが押される。柔軟な分岐するアームは、スポーツ用品からの装置の除去を援助する。
【０００６】
添加エレメントは、紙またはプラスチックのような、いくぶん剛い柔軟材料の平面形態で、音発生エレメントに提供される。それは、当業者に公知の任意の方法、たとえば、接着により、永久にあるいは半永久に取り付けることができる。クリップのような取り付けエレメントの手段の使用は、音発生装置の選択的な取り付けおよび削除を可能にする。
【０００７】
音発生エレメントは１つのエッジ上に形成されたクリップ噛み合わせ要素を有する。クリップ噛み合わせ要素は、クリップ内のチャンネルか開口に挿入される。音発生エレメントの長さは、クリップ中への挿入に先立ち、クリップ噛み合わせ要素の周囲に前記エレメントを巻くことにより調節することができる。
【０００８】
本発明の音発生装置の目的は、それによってスイングの適切なポイントで、スイングの間違った部分で、あるいはバックスイングのトップで彼がクラブを加速しているかどうかを、ゴルファーが正確に決めることのできる手段を提供することである。ゴルファーがクラブを急激に後ろに動かすか、トップから打てば、音発生エレメントは正しくない加速のポイントで大きなフラッター音を出す。スイングが正確ならば、音発生エレメントはスイングのインパクトでのみフラッター音を生ずる。フラッターフラッグのサイズは、フラッターの生ずる速度と反比例する。
【０００９】
本発明の第一の目的は、選択されたスポーツ用品に取り付けることができる音発生装置を提供することである。
本発明の別の目的は、スポーツ用品に取り付けられて、スイープ運動の間に大気と相互作用して音を発生する音発生装置を提供することである。
本発明の別の目的は、スポーツ用品に永久にあるいは半永久に取り付けることができる音発生装置を提供することである。
さらなる本発明の目的は、選択的にスポーツ用品に取り付けることができ、また取り除くことができる音発生装置を提供することである。
本発明の別の目的は音発生エレメントを有する音発生装置を提供することである。
【００１０】
本発明の別の目的は、接着剤によってスポーツ用品に固定して取り付けることができる音発生エレメントを提供することである。
さらなる本発明の目的は、取り付けエレメント手段によってスポーツ用品に取り付けることができる音発生エレメントを提供することである。
本発明の別の目的は、音発生エレメントおよび取り付けエレメントの手段を有する音発生装置を提供することである。
本発明の別の目的は、紙、マイラー、ナイロン、あるいは他のポリエステルフィルムのような、半強剛な平面の材料から形成された音発生エレメントを含む音発生装置を提供することである。
本発明の別の目的は、コードまたはワイヤー強化線のような適当な材料の長いものであって、確保の手段としてスポーツ用品の周囲に結ぶかねじることができるものを含む、音発生エレメントのための音発生取り付けエレメントを提供することである。
【００１１】
本発明の別の目的は、スポーツ用品に押しつけることのできる、スロット状の開口を有する円筒状の要素から構成される、音発生エレメントのための取り付けエレメントを提供することである。
本発明の別の目的は、スポーツ用品に押しつけることのできる、スロット状の開口を形成する、向かい合った分岐するアームを有する円筒状の壁を有する取り付けエレメントを提供することである。
本発明の別の目的は、音発生エレメントの１つのエッジに固定され、それらと一体の部分を形成するポストを有する、音発生エレメントを提供することである。
本発明の別の目的は、ポストを有する音発生エレメントであって、音発生エレメントを取り付けエレメント内に挿入することができ、それらから選択的に取り除くことができる音発生エレメントを提供することである。
本発明の別の目的は、音発生装置を形成する音発生エレメントおよび取り付けエレメントを提供することである。
本発明の別の目的は、音発生エレメントの長さを変えるために、調節してマウントされることのできる音発生エレメントを提供することである。
【００１２】
記述が進むにつれ、本発明の追加の目的が明らかにされる。
本発明は、永久／半永久的に、手持ちのスポーツ用品に取り付けることができ、加速されたスイープ運動の間に音を発生する音発生エレメントを有する音発生装置の提供により、先行技術の欠点を克服する。
音発生エレメントは半強剛な柔軟な材料から形成することができる。前述の音発生エレメントは、取り付けエレメント手段によって選択的に手に保持されるスポーツ用品に取り付けることができる。
取り付けエレメントは、音発生エレメントの一体となった部分であることができ、たとえば、音発生エレメントに結合された適当な材料の長いものであることができ、それはスポーツ用品の部分にまたがって配置され、結ばれるか又はねじられ、スポーツ用品への密閉部分および取り付け部分を形成することができる。
別法として、取り付けエレメントは選択されたスポーツ用品上に押しつけられるクリップであることができる。
【００１３】
さらなる目的およびその他の目的および利点が、以下の記述から明らかにされる。添付される図面に関する説明において、かかる記載は本明細書の一部を構成するが、本発明を実施することのできる実施態様の例示のために示される。これらの、実施態様は当業者が実施できるように十分に詳細に記述される。また、他の実施態様を行うことができ、また発明の範囲を逸脱することなく構造を変化させることができる。添付の図面の中で、いくつかの図の全体にわたって、同じか類似する参照数字は同じかまたは同様の部分を指定する。
次の詳細な記述は何らの制限をも意味するものではなく、本発明の技術的範囲は請求の範囲によって定められる。
【００１４】
図１は使用中の本発明についての実例例の図である。
図２は、それの部分の上に接着剤を有する本発明の音発生エレメントの透視図である。
図３は、ゴルフクラブシャフトの周囲に巻かれた本発明の音発生エレメントの透視図である。
図４は、示されるように図３から得られた本発明の断面図である。
図５は、ゴルフクラブシャフトの周囲に巻かれた本発明の音発生エレメントの透視図である。
図６は、示されるように図５から得られた本発明の断面図である。
図７は、本発明の音発生装置の透視図である。
図８は、付属クリップを備えた音発生装置の透視図である。
図９は、付属クリップを有する音発生エレメントの透視図である。
図１０は、付属クリップを有する音発生エレメントの透視図である。
図１１は、保持するクリップによってゴルフクラブシャフトに取り付けられた本発明の断面図である。
図１２は、保持するクリップでゴルフシャフトの周囲を巻いた音発生エレメントの透視図である。
図１３は、保持するクリップでゴルフシャフトの周囲を巻いた本発明の断面図である。
図１４は、結ぶための手段に取り付けた音発生装置の透視図である。
図１５は、テニスラケットに取り付けられた本発明の音発生エレメントの透視図である。
図１６は、テニスラケットに取り付けられた本発明の音発生装置の透視図である。
【００１５】
参照数字のリスト
使用される参照数字に関して、以下の番号は全部の図面にわたって使用される。
１０  本発明
１２  音発生エレメント
１４  音発生取り付けエレメント
１８  ゴルフクラブ
２０  ゴルフクラブシャフト
２２  ワイヤーで強化された線
２４  クリップ
２６  クリップのアーム
２８  開口
３０  ゴルファー
３２  バックスイングのポイント
３４  正しくない加速のポイント
３６  フラッター音ポイント
３８  テニスラケット
４０  接着剤
４２  クリップかみ合わせ要素
４４  スロット
４６  ポスト
４８  壁
５０  小さなクリップ
５２  フックおよびループ材料
【００１６】
発明の実施の形態
次の説明は、発明の実施態様とそのいくつかの変化を詳細に説明するものである。しかしながら、特にそれらの実施態様は発明を制限するように解釈されるべきでない。当業者は同様に多数の他の実施態様を認識する。発明の完全な範囲の定義については、読者は係属する請求項により教示される。
【００１７】
図１は本発明１０の透視図であり、これはゴルフクラブ１８に取り付けられ、音発生エレメントを有し、バックスイングのトップの間にゴルフクラブ１８を急激に動かすことにより、ゴルファー３０が音発生エレメントに音を発生させる。ゴルファー３０がバックスイングポイント３２でゴルフクラブ１８を後ろに急激に動かすか、ポイント３４で正しくない加速を行った場合、たとえば、フラッター音あるいは他の音がポイント３６で発生される。
【００１８】
図２はゴルフクラブのシャフト２０に取り付けられた本発明１０の透視図である。音発生エレメントは、紙かプラスチックまたは同種のもののような堅い柔軟な材料で作られることができ、ゴルフクラブ１８のスイープ運動の間に前もって決定した条件の下で音を発生する目的で、ゴルフクラブシャフト２０に固定される。
【００１９】
図３は本発明１０の透視図であり、その一部に接着物質４０の部分的な層を有する音発生エレメント１２を示す。接着物質は音発生エレメント１２を、たとえばゴルフクラブシャフト２０に、シャフト２０の周囲に巻かれることにより結合する。
【００２０】
図４は、シャフト２０に取り付けられた本発明の音発生装置１０についての図である。音発生エレメント１２はシャフト２０の周囲に巻かれ、それ自身に接着して取り付けられる。音発生エレメント１２はシャフトに張り付けられずに、シャフト２０を包む。そのために、音発生エレメント１２は、シャフト２０の周囲を自由に回転することができる。本発明の使用中に、音発生エレメント１２は、スイープ動く運動の間にゆっくり（ｌａｇｇｉｎｇ）とシャフト２０の周囲を回転する。
【００２１】
図５は本発明１０の透視図であり、それの１つ端に噛み合わせフックとループ材料５２を有する音発生エレメント１２を示す。前記噛み合い要素間にゴルフクラブシャフトを置くことができるように、フックおよびループ材料は間隔を置かれる。前記噛み合い要素はゴルフクラブシャフトをその中に包んで確保される。ゴルフクラブシャフト２０に解放可能に固定される音発生エレメント１２は、自由にクラブシャフト２０の周囲を回転するのに十分な周辺部を有する。
【００２２】
図６は、シャフト２０に取り付けられた本発明の音発生装置１０についての図である。音発生エレメント１２は、シャフト２０の周囲に巻かれ、噛み合わせフックおよびループ材料５２はシャフトに張り付けられずに、シャフト２０を包んで、それ自身に取り付けられる。そのために、音発生エレメント１２は、シャフト２０の周囲を自由に回転することができる。本発明の使用中に、音発生エレメント１２は、スイープ運動の間にゆっくりとシャフト２０の周囲を回転する。
【００２３】
図７は、本発明の音発生装置１０の透視図である。半強剛な柔軟な材料である音発生エレメント１２は、クリップ２４である取り付けエレメント手段に取り付けられるポスト４６に固定される。クリップ２４はその壁４８中にスロット状の開口４４を持ち、音発生エレメントのポスト４６はそれを通して挿入することができ、それにより保持される。クリップ２４は、分岐するアーム２６により形成されたスロット状の開口２８を有し、それによってスポーツ用品上にクリップ取り付けエレメントを押しつけることができる。分岐するアーム２６は、スポーツ用品から音発生エレメントを容易にはずすための手段を提供する。
【００２４】
図８は本発明の音発生装置１０の透視図であり、ポスト４６の周囲に音発生エレメント１２を選択された回数だけ巻き、それによって音発生エレメント１２の長さを変えることができることを示す。以前に示された他のエレメントも示される。
【００２５】
図９は本発明の音発生装置１０の透視図であり、ポスト４６が取り付けエレメント手段２４の壁内のスロット状の開口４４に挿入されている、音発生エレメントを示す。取り付けエレメント手段２４は、ゴルフクラブのようなスポーツ用品の部分をつかむ。付属クリップ手段２４は、スポーツ用品の周囲にあらかじめ決められた程度の数で回転することができ、それによって、ゴルフクラブのバックスイングまたはフォアスイングのどちらかの中のスイープ運動を通じて音発生エレメント１２が回転し、音を発生することができる。
【００２６】
図１０は、本発明の音発生装置１０についての図である。音発生装置は、ポスト４６に固定して取り付けられた半強剛な柔軟な材料の長いものである、音発生エレメント１２を有し、これは音発生取り付けエレメント噛み合わせ要素を形成し、相対するアーム２６のより大きなクリップ２４の背後に配置された小さなクリップ５０内に挿入される。
【００２７】
図１１は、スポーツ用品シャフト２０に取り付けられた本発明の音発生装置１０についての図である。
音発生装置は、ポスト４６に固定して取り付けられた半強剛な柔軟な材料の長いものである、音発生エレメント１２を有し、これは音発生取り付けエレメント噛み合わせ要素を形成し、より大きなクリップ２４の背後に配置された小さなクリップ５０内に挿入される。
【００２８】
図１２は、スポーツ用品シャフト２０上に部分的にマウントされた音発生装置の透視図である。音発生装置は、音発生エレメント１２およびマウンティングエレメント２４で構成される。音発生エレメントの所望の長さが露出されるまで、音発生エレメント１２はスポーツ用品シャフトに巻かれることができ、そこでクリップ取り付けエレメント２４は、シャフト２０の上に音発生エレメントの上から押しつけられ、スポーツ用品シャフト２０上に、所望の長さの音発生エレメントを、移動可能に固定する。
【００２９】
図１３は、シャフト２０に取り付けられた本発明の音発生装置１０についての図である。音発生エレメントの所望の長さが露出されるまで、音発生エレメント１２でシャフト２０が巻かれる。音発生取り付けエレメント２４はスポーツ用品シャフト２０上の前述の選択された位置で、音発生エレメント１２を保持する。
【００３０】
図１４は、音発生エレメント１２および、それとともに一体の部品を形成する音発生取り付け手段で構成された、音発生装置の透視図である。
音発生装置は、示されたように、コードまたはワイヤー強化コード２２のような、適当な結ぶかねじれる材料の多数の長いものに固定された半強剛な平面の柔軟な材料である。スポーツ用品は、各遠い端に位置した結合材料２２の向かい合った長いもので取り囲まれる。その後、線２２の長いものはスポーツ用品の部分のまわりにくくりつけられるかねじられる。この配置は音発生エレメント１２を、テニスラケットのような不規則な物体に取り付けることを可能とする。さらに、必要に応じて、それは選択的なアタッチメントを提供する。
【００３１】
図１５は、テニスラケット３８に取り付けられた本発明１０の透視図である。音発生装置１０は、音発生エレメントと一体の部品を形成するタイ２２によってテニスラケット３８に取り外し可能に取り付けられた音発生エレメントで構成される。音発生装置は、滑らかなスイープ運動に対立するものとしてのテニスラケット３８の加速された急激なスイープ運動の間に音を発生する。
【００３２】
図１６は、音発生エレメント１２および取り付けエレメント手段２２を含む本発明の音発生装置の透視図である。音発生エレメントは、タイ２２によりテニスラケット３８のリムに取り付けられた半強剛な柔軟な物質で構成される。
【図面の簡単な説明】
【００３３】
【図１】図１は使用中の本発明についての実例例の図である。
【図２】図２は、それの部分の上に接着剤を有する本発明の音発生エレメントの透視図である。
【図３】図３は、ゴルフクラブシャフトの周囲に巻かれた本発明の音発生エレメントの透視図である。
【図４】図４は、示されるように図３から得られた本発明の断面図である。
【図５】図５は、ゴルフクラブシャフトの周囲に巻かれた本発明の音発生エレメントの透視図である。
【図６】図６は、示されるように図５から得られた本発明の断面図である。
【図７】図７は、本発明の音発生装置の透視図である。
【図８】図８は、付属クリップを備えた音発生装置の透視図である。
【図９】図９は、付属クリップを有する音発生エレメントの透視図である。
【図１０】図１０は、付属クリップを有する音発生エレメントの透視図である。
【図１１】図１１は、保持するクリップによってゴルフクラブシャフトに取り付けられた本発明の断面図である。
【図１２】図１２は、保持するクリップでゴルフシャフトの周囲を巻いた音発生エレメントの透視図である。
【図１３】図１３は、保持するクリップでゴルフシャフトの周囲を巻いた本発明の断面図である。
【図１４】図１４は、結ぶための手段に取り付けた音発生装置の透視図である。
【図１５】図１５は、テニスラケットに取り付けられた本発明の音発生エレメントの透視図である。
【図１６】図１６は、テニスラケットに取り付けられた本発明の音発生装置の透視図である。
【国際公開パンフレット】
2004527348.tif 000003
2004527348.tif 000004
2004527348.tif 000005
2004527348.tif 000006
2004527348.tif 000007
2004527348.tif 000008
2004527348.tif 000009
2004527348.tif 000010
2004527348.tif 000011
2004527348.tif 000012
2004527348.tif 000013
2004527348.tif 000014
2004527348.tif 000015
2004527348.tif 000016
2004527348.tif 000017
2004527348.tif 000018
2004527348.tif 000019
2004527348.tif 000020
2004527348.tif 000021
2004527348.tif 000022
2004527348.tif 000023
2004527348.tif 000024
2004527348.tif 000025
2004527348.tif 000026
2004527348.tif 000027
2004527348.tif 000028
2004527348.tif 000029
2004527348.tif 000030
2004527348.tif 000031
2004527348.tif 000032
2004527348.tif 000033
2004527348.tif 000034
2004527348.tif 000035
2004527348.tif 000036
2004527348.tif 000037
2004527348.tif 000038
2004527348.tif 000039
【手続補正書】
【提出日】平成13年12月4日(2001.12.4)
【手続補正１】
【補正対象書類名】特許請求の範囲
【補正対象項目名】全文
【補正方法】変更
【補正の内容】
【特許請求の範囲】
【請求項１】
音発生エレメントのスポーツ用品シャフトへの取り付け手段から構成される音発生エレメントを含む装置であって、音発生エレメントがスポーツ用品シャフトの周囲を自由に回転できるように、該取り付け手段が音発生エレメントをスポーツ用品シャフトへ取り付ける装置。
【請求項２】
音発生エレメントがさらに柔軟な物質を含み、該柔軟な物質が人間によるスポーツ用品シャフトの急激なスイング動作の間にフラッター音を発生する、請求項１記載の装置。
【請求項３】
スポーツ用品シャフトがゴルフクラブシャフトである、請求項１記載の装置。
【請求項４】
前記取り付け手段が、音発生エレメントの部分に適用された接着物質を含む、請求項３記載の装置。
【請求項５】
前記接着物質が、音発生エレメント上の位置に置かれ、音発生エレメントをスポーツ用品シャフトに取り付け、スポーツ用品シャフトに関して回転可能にする、請求項４記載の装置。
【請求項６】
接着物質が音発生エレメントをそれ自身に結合し、音発生エレメントがゴルフクラブシャフトの部分を取り囲むようにする、請求項４記載の装置。
【請求項７】
前記取り付け手段が、該音発生エレメントの部分上に配置された咬みあいフックおよびループ物質を含む、請求項３記載の装置。
【請求項８】
前記咬みあいフックおよびループ物質がそれ自身に固定され、該ゴルフクラブシャフトの部分を音発生エレメントにより取り囲まれるようにする、請求項７記載の装置。
【請求項９】
音発生エレメント、および第１のクリップを含む装置であって、
第１のクリップがスポーツ用品シャフトに取り付け可能であり、
音発生エレメントが第１のクリップに取り付け可能であり、それにより音発生エレメントがスポーツ用品シャフトに取り付けられ、
第１のクリップがスポーツ用品シャフトに対して自由に回転可能であるように、第１のクリップがスポーツ用品シャフトに取り付けられる、装置。
【請求項１０】
第１のクリップがさらに一対の柔軟なアームを有し、該アームがスポーツ用品シャフトを取り囲み、第１のクリップをスポーツ用品シャフトにしっかりと固定し、該クリップがスポーツ用品シャフトに対して回転可能である、請求項９記載の装置。
【請求項１１】
音発生エレメントに連結したポストを含み、
該第１のクリップがその内部に垂直に配置されたスロットを有し、該スロットは前記一対の柔軟なアームに相対するクリップの壁に配置され、
該ポストは第１のクリップの垂直に配置されたスロット内に挿入され、音発生エレメントを第１のクリップに取り付ける、請求項９記載の装置。
【請求項１２】
音発生エレメントが該ポストの側面に連結される、請求項１１記載の装置。
【請求項１３】
前記の一対のアームに相対する第１のクリップの壁に配置された第２のクリップを有し、該第２のクリップは第１のクリップよりも小さく、
より小さい該第２のクリップ内に挿入するために第２のクリップに連結された伸張されたポストをさらに含む、請求項９記載の装置。
【請求項１４】
音発生エレメントをスポーツ用品シャフトに取り付ける手段がさらにコードを含み、該音発生エレメントが該コードに取り付けられ、該コードがスポーツ用品シャフトに結ばれている、請求項２記載の装置。
【請求項１５】
該コードがさらに強化された線を含む、請求項１４記載の装置。
【請求項１６】
５０平方インチ未満の物質、および
該物質をスポーツ用品シャフトに取り付け、該物質がスポーツ用品シャフトの周囲を回転できるようにする手段、を含むゴルフスイング練習装置。
【請求項１７】
取り付け手段が接着剤で構成される、請求項１６記載の装置。
【請求項１８】
取り付け手段がプラスチッククリップで構成される、請求項１６記載の装置。
【請求項１９】
該物質がポリエステルフィルムである、請求項１６記載の装置。
【請求項２０】
ゴルフクラブヘッドに取り付けられたゴルフクラブシャフトに取り付けられた物質は、物質の平面表面積により設定されるゴルフクラブヘッドのあらかじめ決定されたクラブヘッド速度で、ハミング音を発生する、請求項１６記載の装置。
【請求項２１】
それぞれがスポーツ用品シャフトに取り付けるための対応する複数の手段を有する複数の物質を含み、該複数の物質の少なくとも１つの表面積が、該複数の物質の表面積と互いに異なっている、請求項１６記載の装置。
【請求項２２】
音発生エレメントをスポーツ用品シャフトに取り付け、音発生エレメントがスポーツ用品シャフトの周囲を自由に回転できるようにすることを含む方法。
【請求項２３】
音発生エレメントがさらに柔軟な物質を含み、該柔軟な物質が人間によるスポーツ用品シャフトの急激なスイング動作の間にフラッター音を発生する、請求項２２記載の方法。
【請求項２４】
スポーツ用品シャフトがゴルフクラブシャフトである、請求項２２記載の方法。
【請求項２５】
第１のクリップにより音発生エレメントがスポーツ用品シャフトに取り付けられる、請求項２２記載の方法。
【請求項２６】
クリップが一対の柔軟なアームを有し、該アームがスポーツ用品シャフトを取り囲み、第１のクリップをスポーツ用品シャフトにしっかりと固定し、該第１のクリップがスポーツ用品シャフトに対して回転可能である、請求項２５記載の方法。
【請求項２７】
音発生エレメントがポストに連結され、
該第１のクリップがその内部に垂直に配置されたスロットを有し、該スロットは前記一対の柔軟なアームに相対するクリップの壁に配置され、
該ポストは第１のクリップの垂直に配置されたスロット内に挿入され、音発生エレメントを第１のクリップに取り付ける、請求項２６記載の方法。
【請求項２８】
第１のクリップが、一対のアームに相対する第１のクリップの壁に配置された第２のクリップと連結され、該第２のクリップは第１のクリップよりも小さく、
該第２のクリップ内に挿入するために、音発生エレメントに連結された伸張された挿入されたポストをさらに含む、請求項２６記載の方法。
【国際調査報告】
2004527348.tif 000040
2004527348.tif 000041
2004527348.tif 000042